(57)【要約】【課題】トラックバックにトラックバック元の指定するデザインに関する情報を含めることのできる、互換性と拡張性を両立した情報提示サーバを提供する。【解決手段】他のサーバから一般的な仕様に基づくトラックバックを受信するトラックバック受信手段と、他のサーバに一般的な仕様に基づくトラックバックを送信するトラックバック送信手段と、他のサーバからトラックバックを受信した場合に当該他のサーバに要求してトラックバック表示用のデザイン情報を取得するデザイン情報取得手段と、他のサーバからトラックバック表示用のデザイン情報を要求された場合に該当するデザイン情報を送信するデザイン情報送信手段と、クライアントからの閲覧要求時に上記デザイン情報に基づいてトラックバック内容を表示させる表示手段とを備える。【選択図】図２
2008181242.tif 000002
【特許請求の範囲】
【請求項１】
他のサーバから一般的な仕様に基づくトラックバックを受信するトラックバック受信手段と、
他のサーバに一般的な仕様に基づくトラックバックを送信するトラックバック送信手段と、
他のサーバからトラックバックを受信した場合に当該他のサーバに要求してトラックバック表示用のデザイン情報を取得するデザイン情報取得手段と、
他のサーバからトラックバック表示用のデザイン情報を要求された場合に該当するデザイン情報を送信するデザイン情報送信手段と、
クライアントからの閲覧要求時に上記デザイン情報に基づいてトラックバック内容を表示させる表示手段とを備えたことを特徴とする情報提示サーバ。
【請求項２】
請求項１に記載の情報提示サーバにおいて、
上記デザイン情報取得手段は、受信したトラックバック情報に含まれるトラックバック元のアドレスに所定の文字列を付加したデザイン情報取得用アドレスに対してデザイン情報取得の要求を送信してデザイン情報を取得することを特徴とする情報提示サーバ。
【請求項３】
請求項１に記載の情報提示サーバにおいて、
上記デザイン情報取得手段は、受信したトラックバックの宛先アドレスに付加されたパラメータに含まれるデザイン情報取得用アドレスに対してデザイン情報取得の要求を送信してデザイン情報を取得することを特徴とする情報提示サーバ。
【請求項４】
請求項１に記載の情報提示サーバにおいて、
上記デザイン情報取得手段は、受信したトラックバック情報に含まれるデザイン情報取得用アドレスに対してデザイン情報取得の要求を送信してデザイン情報を取得することを特徴とする情報提示サーバ。
【請求項５】
請求項１乃至４のいずれか一項に記載の情報提示サーバにおいて、
上記表示手段により表示させたトラックバック内容のリンクからトラックバック元への閲覧の誘導数を取得する手段と、
表示させるトラックバックの日時を指定させる手段と、
トラックバックの表示を上記閲覧数および上記日時に応じて変化させる手段とを備えたことを特徴とする情報提示サーバ。
【請求項６】
他のサーバから一般的な仕様に基づくトラックバックを受信する工程と、
他のサーバに一般的な仕様に基づくトラックバックを送信する工程と、
他のサーバからトラックバックを受信した場合に当該他のサーバに要求してトラックバック表示用のデザイン情報を取得する工程と、
他のサーバからトラックバック表示用のデザイン情報を要求された場合に該当するデザイン情報を送信する工程と、
クライアントからの閲覧要求時に上記デザイン情報に基づいてトラックバック内容を表示させる工程とを備えたことを特徴とするトラックバック情報提示制御方法。
【請求項７】
他のサーバから一般的な仕様に基づくトラックバックを受信する機能と、
他のサーバに一般的な仕様に基づくトラックバックを送信する機能と、
他のサーバからトラックバックを受信した場合に当該他のサーバに要求してトラックバック表示用のデザイン情報を取得する機能と、
他のサーバからトラックバック表示用のデザイン情報を要求された場合に該当するデザイン情報を送信する機能と、
クライアントからの閲覧要求時に上記デザイン情報に基づいてトラックバック内容を表示させる機能とをコンピュータに実現させることを特徴とするトラックバック情報提示制御プログラム。
【発明の詳細な説明】
【技術分野】
【０００１】
本発明は、ブログ（Ｗｅｂログ：日記風サイト）等のトラックバックを受け付ける情報提示サーバに関する。
【背景技術】
【０００２】
一般的なブログには、作者の投稿した記事に対してコメントを付す機能が搭載されているとともに、他のブログの記事との関連付けを行うトラックバック（Trackback）と呼ばれる機能が搭載されている。トラックバック機能を持つブログは、トラックバックを受け付ける記事に対してトラックバックＵＲＬ（Uniform Resource Locator）を発行しており、その記事（親記事）を参考に自分のブログで記事（子記事）を書いた場合、親記事のトラックバックＵＲＬに対してトラックバックＰｉｎｇを送信することで、親記事側のブログにおいて親記事と関連付けられた状態で子記事の要約やＵＲＬリンク等（トラックバック情報）が掲載される（例えば、特許文献１等を参照）。
【０００３】
トラックバックは、Ｓｉｘ  Ａｐａｒｔ社のＭｏｖａｂｌｅ  Ｔｙｐｅ（製品名）で実装された仕様であり、デファクトスタンダードとなっている。その仕様にはデザインに関する情報は含まれておらず、トラックバック先のテンプレートによってレイアウトを含む表示デザインが決まり、一般には文字情報のみによってトラックバック情報が掲載されている。
【特許文献１】特開２００５−２５０８２６号公報
【発明の開示】
【発明が解決しようとする課題】
【０００４】
ところで、トラックバックはトラックバック先のブログから自分のブログ（トラックバック元）への閲覧の誘導を期待して行われるものであり、人目を引くデザイン（レイアウトを含む）により自己主張をしたいところであるが、上述したように一般的なトラックバックの仕様にはデザインに関する情報は含まれていないため、トラックバック元の個性を出すのが難しいという問題があった。また、閲覧者にとっても、トラックバック一覧において文字情報のみによるタイトルや要約から閲覧すべきブログを探すのにあたり、決め手を欠くという問題もあった。
【０００５】
トラックバックにデザインに関する情報を含めるには仕様を独自に拡張する必要があるが、デザインの拡張表示を行うためにはトラックバック元とトラックバック先の双方がこの拡張仕様を実装している必要があるとともに、通常のトラックバックしか受け付けないブログ等にはトラックバックが打てなくなってしまうという問題がある。
【０００６】
本発明は上記の従来の問題点に鑑み提案されたものであり、その目的とするところは、トラックバックにトラックバック元の指定するデザインに関する情報を含めることのできる、互換性と拡張性を両立した情報提示サーバを提供することにある。
【課題を解決するための手段】
【０００７】
上記の課題を解決するため、本発明にあっては、請求項１に記載されるように、他のサーバから一般的な仕様に基づくトラックバックを受信するトラックバック受信手段と、他のサーバに一般的な仕様に基づくトラックバックを送信するトラックバック送信手段と、他のサーバからトラックバックを受信した場合に当該他のサーバに要求してトラックバック表示用のデザイン情報を取得するデザイン情報取得手段と、他のサーバからトラックバック表示用のデザイン情報を要求された場合に該当するデザイン情報を送信するデザイン情報送信手段と、クライアントからの閲覧要求時に上記デザイン情報に基づいてトラックバック内容を表示させる表示手段とを備える情報提示サーバを要旨としている。
【０００８】
また、請求項２に記載されるように、請求項１に記載の情報提示サーバにおいて、上記デザイン情報取得手段は、受信したトラックバック情報に含まれるトラックバック元のアドレスに所定の文字列を付加したデザイン情報取得用アドレスに対してデザイン情報取得の要求を送信してデザイン情報を取得するようにすることができる。
【０００９】
また、請求項３に記載されるように、請求項１に記載の情報提示サーバにおいて、上記デザイン情報取得手段は、受信したトラックバックの宛先アドレスに付加されたパラメータに含まれるデザイン情報取得用アドレスに対してデザイン情報取得の要求を送信してデザイン情報を取得するようにすることができる。
【００１０】
また、請求項４に記載されるように、請求項１に記載の情報提示サーバにおいて、上記デザイン情報取得手段は、受信したトラックバック情報に含まれるデザイン情報取得用アドレスに対してデザイン情報取得の要求を送信してデザイン情報を取得するようにすることができる。
【００１１】
また、請求項５に記載されるように、請求項１乃至４のいずれか一項に記載の情報提示サーバにおいて、上記表示手段により表示させたトラックバック内容のリンクからトラックバック元への閲覧の誘導数を取得する手段と、表示させるトラックバックの日時を指定させる手段と、トラックバックの表示を上記閲覧数および上記日時に応じて変化させる手段とを備えるようにすることができる。
【００１２】
また、請求項６に記載されるように、他のサーバから一般的な仕様に基づくトラックバックを受信する工程と、他のサーバに一般的な仕様に基づくトラックバックを送信する工程と、他のサーバからトラックバックを受信した場合に当該他のサーバに要求してトラックバック表示用のデザイン情報を取得する工程と、他のサーバからトラックバック表示用のデザイン情報を要求された場合に該当するデザイン情報を送信する工程と、クライアントからの閲覧要求時に上記デザイン情報に基づいてトラックバック内容を表示させる工程とを備えるトラックバック情報提示制御方法として構成することができる。
【００１３】
また、請求項７に記載されるように、他のサーバから一般的な仕様に基づくトラックバックを受信する機能と、他のサーバに一般的な仕様に基づくトラックバックを送信する機能と、他のサーバからトラックバックを受信した場合に当該他のサーバに要求してトラックバック表示用のデザイン情報を取得する機能と、他のサーバからトラックバック表示用のデザイン情報を要求された場合に該当するデザイン情報を送信する機能と、クライアントからの閲覧要求時に上記デザイン情報に基づいてトラックバック内容を表示させる機能とをコンピュータに実現させるトラックバック情報提示制御プログラムとして構成することができる。
【発明の効果】
【００１４】
本発明の情報提示サーバにあっては、トラックバックにトラックバック元の指定するデザインに関する情報を含めることができ、互換性と拡張性を両立することができる。
【発明を実施するための最良の形態】
【００１５】
以下、本発明の好適な実施形態につき説明する。
【００１６】
<システム構成>
図１は本発明の一実施形態にかかるシステムの構成例を示す図である。
【００１７】
図１において、インターネット等のネットワーク１には、本発明のデザイン機能に対応したブログサーバ２Ａ、２Ｂと、デザイン機能に対応していないブログサーバ２Ｃ等が接続されるとともに、複数の任意のクライアント３Ａ、３Ｂ等が接続されている。
【００１８】
図２は本発明のデザイン機能に対応したブログサーバ２Ａ、２Ｂの構成例を示す図である。
【００１９】
図２において、ブログサーバ２Ａ、２ＢはＷｅｂサーバ２１を備えており、Ｗｅｂサーバ２１はブログＤＢ２２とテンプレート記憶部２３とアカウント管理部２４と記事入稿管理部２５とコメント管理部２６とトラックバック管理部２７とデザイン管理部２８とページ表示部２９とを備えている。ブログ用の代表的なシステムとしては、Ｓｉｘ  Ａｐａｒｔ社のＭｏｖａｂｌｅ  Ｔｙｐｅがある。Ｍｏｖａｂｌｅ  Ｔｙｐｅはブログサイトを生成・管理するサーバソフトであり、標準的なＷｅｂサーバに組み込んで利用する。ユーザがＷｅｂブラウザ等から投稿した記事をＲＤＢＭＳ（Relational Data Base Management System）で構築されたデータベースに保存し、予め用意されたテンプレートを元にページを生成する機能を有しており、月ごとやカテゴリーごとの記事の一覧なども自動的に生成する。カレンダーやコメント投稿欄、トラックバックなどウェブログに必要とされる一連の機能も提供する。
【００２０】
図２において、ブログＤＢ２２はブログとしての処理に必要な各種の情報を保持するものであり、アカウント情報を保持するアカウントテーブル２２１と、記事情報を保持する記事テーブル２２２と、コメント情報を保持するコメントテーブル２２３と、トラックバック情報を保持するトラックバックテーブル２２４と、トラックバックのデザイン情報を保持するトラックバックデザインテーブル２２５とを備えている。
【００２１】
図３はブログＤＢ２２内の各種テーブルの例を示す図である。アカウントテーブル２２１は、アカウントＩＤ、アカウント名、パスワード、ブログ名、ブログＵＲＬ、ブログ作成日、メールアドレス、ニックネーム、本名、生年月日、その他個人情報等のフィールドを含んでいる。記事テーブル２２２は、記事ＩＤ、アカウントＩＤ、タイトル、本文、要約、投稿日時等のフィールドを含んでいる。コメントテーブル２２３は、コメントＩＤ、記事ＩＤ、タイトル、本文、ニックネーム、メールアドレス、ＵＲＬ、投稿日時等のフィールドを含んでいる。トラックバックテーブル２２４は、トラックバックＩＤ、記事ＩＤ、タイトル、概要、ブログ名、ＵＲＬ、投稿日時等のフィールドを含んでいる。トラックバックデザインテーブル２２５は、トラックバックデザインＩＤ、トラックバックＩＤ、デザイン情報等のフィールドを含んでいる。アカウントテーブル２２１と記事テーブル２２２はアカウントＩＤにより相互に対応付けられ、記事テーブル２２２とコメントテーブル２２３とトラックバックテーブル２２４は記事ＩＤにより相互に対応付けられ、トラックバックテーブル２２４とトラックバックデザインテーブル２２５はトラックバックＩＤにより相互に対応付けられている。
【００２２】
図４はトラックバックデザインテーブル２２５に格納されるデザイン情報の例を示す図であり、一般的なＨＴＭＬ（Hyper Text Markup Language）により記述されている。なお、「<!---image_file--->」部分はアイコン等のイメージファイル名に置き換えられ、「<!---title--->」部分はエントリのタイトルに置き換えられ、「<!---excerpt--->」部分はエントリの概要に置き換えられ、「<!---url--->」部分はエントリのパーマリンク（ＵＲＬ）に置き換えられ、「<!---blog_name--->」部分はエントリが投稿されたブログ名に置き換えられる。
【００２３】
図２に戻り、アカウント管理部２４はブログサーバ２Ａ、２Ｂを利用するユーザのアカウントを管理するものであり、アカウントの追加を行うアカウント追加部２４１と、アカウントの削除を行うアカウント削除部２４２と、アカウントの編集を行うアカウント編集部２４３と、アカウントの認証を行うアカウント認証部２４４とを備えている。
【００２４】
記事入稿管理部２５はブログへの記事の入稿を管理するものであり、記事を追加する記事追加部２５１と、記事を削除する記事削除部２５２と、記事を修正する記事修正部２５３とを備えている。
【００２５】
コメント管理部２６はブログの記事に対して閲覧者により付されるコメントを管理するものであり、コメントを入稿するコメント入稿部２６１と、コメントを削除するコメント削除部２６２と、コメントを修正するコメント修正部２６３とを備えている。
【００２６】
トラックバック管理部２７は他のブログサーバとの間でのトラックバック（他のブログサーバに対してトラックバックを行う場合と、他のブログサーバからトラックバックを受ける場合の双方）を管理するものであり、他のブログサーバにトラックバックを送信するトラックバック送信部２７１と、他のブログサーバからトラックバックを受信するトラックバック受信部２７２と、他のブログサーバからデザイン情報を要求された場合に該当するデザイン情報を送信するトラックバックデザイン送信部２７３と、他のブログサーバからトラックバックを受信した場合に当該他のブログサーバに要求してデザイン情報を取得するトラックバックデザイン取得部２７４とを備えている。
【００２７】
デザイン管理部２８はブログの表示に用いられるテンプレートを管理するものであり、テンプレート記憶部２３にテンプレートを登録するテンプレート登録部２８１と、テンプレートの修正を行うテンプレート修正部２８２とを備えている。テンプレートはＨＴＭＬで記述されており、後述する図１０のようなブログページの各要素であるブログタイトル、記事タイトル、記事本文、トラックバック一覧、メニュー、ナビゲーション、ブログパーツ等の表示を行う際の雛形となる。
【００２８】
図２に戻り、ページ表示部２９はクライアント３Ａ、３Ｂ（図１）からのアクセスに対してブログページを表示するものであり、記事一覧を表示する記事一覧表示部２９１と、記事内容を表示する記事表示部２９２と、コメントを表示するコメント表示部２９３と、デザイン付のトラックバック一覧を表示するデザイン付トラックバック表示部２９４とを備えている。
【００２９】
デザイン機能に対応していないブログサーバ２Ｃの構成については特に図示していないが、図２の構成から、トラックバックデザインテーブル２２５、トラックバックデザイン送信部２７３、トラックバックデザイン取得部２７４を除去し、デザイン付トラックバック表示部２９４を通常のトラックバック表示部とした構成となる。
【００３０】
<動作>
図５は上述した実施形態の動作概要を示す図である。
【００３１】
図５において、デザイン機能に対応したブログサーバ２Ａに対して、同じくデザイン機能に対応したブログサーバ２Ｂからトラックバックを送信すると（ステップＳ１）、ブログサーバ２Ａからブログサーバ２Ｂに対してデザイン情報の問い合わせを行い（ステップＳ２）、ブログサーバ２Ｂはブログサーバ２Ａにデザイン情報を送信する（ステップＳ３）。これにより、クライアント３Ａ、３Ｂからのアクセス時に、ブログサーバ２Ａのトラックバック一覧におけるブログサーバ２Ｂのトラックバックにはデザイン情報が反映された表示が行われる。
【００３２】
また、デザイン機能に対応したブログサーバ２Ａに対して、デザイン機能に対応していないブログサーバ２Ｃからトラックバックを送信すると（ステップＳ４）、ブログサーバ２Ａからブログサーバ２Ｃに対してデザイン情報の問い合わせを行うが（ステップＳ５）、ブログサーバ２Ｃはデザイン機能に対応していないため、ブログサーバ２Ａにエラーを送信する（ステップＳ６）。これにより、クライアント３Ａ、３Ｂからのアクセス時に、ブログサーバ２Ａのトラックバック一覧におけるブログサーバ２Ｃのトラックバックにはデフォルトのデザイン情報による表示が行われる。
【００３３】
このように、トラックバック自体は通常の仕様通りに行い、トラックバックを受けた後の処理でデザイン情報を取得するため、互換性と拡張性を両立することができる。
【００３４】
以下、より詳細に動作を説明する。
【００３５】
図６はトラックバック送信時の処理例を示す図であり、デザイン機能に対応したブログサーバ２Ａに対して、同じくデザイン機能に対応したブログサーバ２Ｂからトラックバックを送信する場合の処理例である。
【００３６】
図６において、ブログサーバ２Ｂのトラックバック送信部２７１からブログサーバ２Ａにトラックバックを送信すると（ステップＳ１１）、ブログサーバ２Ａではトラックバック受信部２７２によりこれを受信する。
【００３７】
次いで、ブログサーバ２Ａではトラックバックデザイン取得部２７４により、トラックバック情報等からデザイン情報取得用ＵＲＬ（デザイン情報ＵＲＬ）を取得し（ステップＳ１２）、ブログサーバ２Ｂのデザイン情報取得用ＵＲＬに対して要求を送信することでデザイン情報を問い合わせる（ステップＳ１３）。
【００３８】
図７〜図９は送信データの例を示す図であり、それぞれの図において（ａ）はブログサーバ２Ｂからブログサーバ２Ａへのトラックバックの送信データ（ＨＴＴＰ（Hyper Text Transfer Protocol）のＰＯＳＴリクエスト）、（ｂ）はブログサーバ２Ａからブログサーバ２Ｂへのデザイン情報問い合わせの送信データ（ＨＴＴＰのＧＥＴリクエスト）の例である。
【００３９】
図７はトラックバックの送信データ（ａ）に含まれるトラックバック情報のトラックバック元のＵＲＬを示す「url= http://blogs.yahoo.co.jp/hoge/1234」部分に所定の文字列「/tracktemp.html」を付加したものをデザイン情報取得用ＵＲＬと予め定めておき、これをデザイン情報の問い合わせ送信データ（ｂ）の宛先ＵＲＬとしたものである。
【００４０】
図８はトラックバックの送信データ（ａ）に含まれる、トラックバックの宛先ＵＲＬに付加されたパラメータ「temp=http://blogs.yahoo.co.jp/hoge/1234/tracktemp.html」に含まれる「http://blogs.yahoo.co.jp/hoge/1234/tracktemp.html」をデザイン情報の問い合わせ送信データ（ｂ）の宛先ＵＲＬとしたものである。
【００４１】
図９はトラックバックの送信データ（ａ）に含まれるトラックバック情報の一項目「tracktmp=http://blogs.yahoo.co.jp/hoge/1234/tracktemp.html」に含まれる「http://blogs.yahoo.co.jp/hoge/1234/tracktemp.html」をデザイン情報の問い合わせ送信データ（ｂ）の宛先ＵＲＬとしたものである。
【００４２】
図６に戻り、デザイン情報の問い合わせを受けたブログサーバ２Ｂは、指定されたデザイン情報取得用ＵＲＬから予め用意してあるデザイン情報を取得し（ステップＳ１４）、トラックバックデザイン送信部２７３によりブログサーバ２Ａにデザイン情報を送信する（ステップＳ１５）。
【００４３】
ブログサーバ２Ａは取得したデザイン情報をトラックバックデザイン取得部２７４によりトラックバックデザインテーブル２２５に格納し（ステップＳ１６）、クライアント３Ａ、３Ｂからのアクセス時におけるトラックバック一覧の表示に備える。
【００４４】
図１０はクライアント３Ａ、３Ｂからのアクセス時におけるブログの表示の例を示す図であり、テンプレート記憶部２３に格納されたテンプレートに従い、ブログタイトル、記事タイトル、記事本文、トラックバック一覧、メニュー、ナビゲーション、ブログパーツ等が表示され、トラックバック一覧においてはトラックバックデザインテーブル２２５に格納されたデザイン情報に従って表示が行われる。
【００４５】
図１１はトラックバック送信時の処理例を示す図であり、デザイン機能に対応したブログサーバ２Ａに対して、デザイン機能に対応していないブログサーバ２Ｃからトラックバックを送信する場合の処理例である。
【００４６】
図１１において、ブログサーバ２Ｃのトラックバック送信部２７１からブログサーバ２Ａにトラックバックを送信すると（ステップＳ２１）、ブログサーバ２Ａではトラックバック受信部２７２によりこれを受信する。
【００４７】
次いで、ブログサーバ２Ａではトラックバックデザイン取得部２７４により、トラックバック情報等からデザイン情報取得用ＵＲＬ（デザイン情報ＵＲＬ）を取得し（ステップＳ２２）、ブログサーバ２Ｃのデザイン情報取得用ＵＲＬに対して要求を送信することでデザイン情報を問い合わせる（ステップＳ２３）。なお、図７に示したトラックバック元のＵＲＬに所定の文字列を付加したものをデザイン情報取得用ＵＲＬとする場合はデザイン情報の問い合わせを行えるが、図８もしくは図９に示した手法では、デザイン機能に対応していないブログサーバ２Ｃ側からのトラックバックの送信データに該当するＵＲＬが含まれないため、デザイン情報の問い合わせは行わない。
【００４８】
デザイン情報の問い合わせを受けたブログサーバ２Ｃは、指定されたデザイン情報取得用ＵＲＬにアクセスを試みるが、デザイン機能に対応していないことから取得は失敗し（ステップＳ２４）、ブログサーバ２Ａにエラー（404 not found等）を送信する（ステップＳ２５）。
【００４９】
ブログサーバ２Ａはデザイン情報が取得できないため、トラックバックデザイン取得部２７４によりトラックバックデザインテーブル２２５にデフォルトのデザイン情報を設定し（デフォルトのデザインが自動的に適用される場合には特別な設定は行わない）（ステップＳ２６）、クライアント３Ａ、３Ｂからのアクセス時におけるトラックバック一覧の表示に備える。クライアント３Ａ、３Ｂからアクセスが行われた場合には、ブログサーバ２Ａのトラックバック一覧におけるブログサーバ２Ｃのトラックバックにはデフォルトのデザイン情報による表示が行われる。
【００５０】
<変形例>
図１２は他の実施形態にかかるブログサーバ２Ａ、２Ｂの構成例を示す図であり、トラックバック一覧の表示を誘導数（トラックバック一覧からトラックバック元への誘導数）およびトラックバックを行った日時によって変化させるようにしたものである。
【００５１】
図１２において、ブログサーバ２Ａ、２Ｂのデザイン付トラックバック表示部２９４には、トラックバックしてきたブログのエントリの表示位置を制御する表示位置制御部２９５と、エントリの表示サイズを誘導数に応じて変化させる表示サイズ制御部２９６と、エントリの表示濃淡をスライダ等により指定された日時に応じて変化させる表示濃淡制御部２９７とが設けられている。
【００５２】
また、誘導数を取得するため、トラックバック記事の中のリンクはブログサーバ２Ａ、２Ｂを指すものとし、そのＵＲＬへのアクセスを受けて本来のリンク先（トラックバック元）へリダイレクトを行うリダイレクタ２０１と、リダイレクタ２０１のリダイレクト処理を集計して誘導数ＤＢ２０３に格納する誘導数集計部２０２とが設けられている。なお、このような構成としているのは、通常のリンクではクライアント側で表示されているリンク（アンカー）がクリックされたのかどうかをリンク元（トラックバック先）が知ることはできないからである。
【００５３】
図１３は誘導数ＤＢ２０３の例を示す図であり、（ａ）はフィールド構成、（ｂ）は具体的な値の例である。誘導数ＤＢ２０３は、誘導数ＩＤ、トラックバックＩＤ、日時、誘導数等のフィールドを有している。
【００５４】
図１４は誘導数と表示サイズの対応関係の例を示す図であり、誘導数に応じて表示のピクセル（pixel）数を連動して大きくしていくが、最小と最大の大きさを予め定義しておき、誘導数が他とかけ離れた数値の場合でもある程度の大きさの範囲におさまるようにしている。図示の例では、最小５０pixel、最大２００pixelとし、誘導数１０毎に１０pixelずつサイズを大きくしている。
【００５５】
図１５はトラックバック一覧の表示例を示す図であり、スライダ３１で指定された日時より後にトラックバックされたブログのエントリは表示されず、その日時の直前にトラックバックされたブログのエントリ３２、３３、３４が濃く表示され、古いエントリはスライダ３１で指定された日時との時間間隔が長くなるほど色が薄く表示される。エントリの色の濃淡は、トラックバックテーブル２２４（図３）にある投稿日時とスライダ３１によって指定されている日時との差分を求め、単位時間あたりの透過性を差分の時間分かけ合わせる。例えば、単位時間を１時間、単位時間当たりの透過性を９０％とし、2006/12/4 10:00に投稿されたトラックバックを2006/12/4 16:00に表示する場合、
日時の差分  ６時間  →  ６単位時間
となり、
90% × 90% × 90% × 90% × 90% × 90% = 53.1441%
となって、元の色の53.1441%の発色で表示する。
【００５６】
また、単位時間当たりの誘導数によって表示サイズが変わり、例えば１時間の間にトラックバックから誘導された数が多ければ大きく表示され、誘導数が少なければ小さく表示される。図ではエントリ３２、３３が同程度の誘導数であり、エントリ３４の誘導数が少ないことを示している。エントリの表示サイズは、スライダ３１によって指定されている日時の各トラックバックの誘導数を誘導数ＤＢ２０３から取得し、取得した誘導数により図１４に示したテーブルからエントリの表示サイズを求める。
【００５７】
なお、各エントリの表示はマウス等でドラッグして移動することが可能である。
【００５８】
また、スライダ３１を動かすことにより過去にさかのぼることができ、今まで表示されていた新しいエントリは表示されなくなり、色の薄いエントリは濃くなり、表示サイズもその時点での大きさとなる。エントリをダブルクリックすることでも、そのトラックバックが投稿された時点にさかのぼることができる。この場合、スライダ３１の位置も連動する。
【００５９】
<総括>
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００６０】
【図１】本発明の一実施形態にかかるシステムの構成例を示す図である。
【図２】ブログサーバの構成例を示す図である。
【図３】ブログＤＢ内の各種テーブルの例を示す図である。
【図４】デザイン情報の例を示す図である。
【図５】実施形態の動作概要を示す図である。
【図６】トラックバック送信時の処理例を示す図（その１）である。
【図７】送信データの例を示す図（その１）である。
【図８】送信データの例を示す図（その２）である。
【図９】送信データの例を示す図（その３）である。
【図１０】ブログの表示の例を示す図である。
【図１１】トラックバック送信時の処理例を示す図（その２）である。
【図１２】他の実施形態にかかるブログサーバの構成例を示す図である。
【図１３】誘導数ＤＢの例を示す図である。
【図１４】誘導数と表示サイズの対応関係の例を示す図である。
【図１５】トラックバック一覧の表示例を示す図である。
【符号の説明】
【００６１】
１            ネットワーク
２Ａ〜２Ｃ    ブログサーバ
２１          Ｗｅｂサーバ
２２          ブログＤＢ
２２１        アカウントテーブル
２２２        記事テーブル
２２３        コメントテーブル
２２４        トラックバックテーブル
２２５        トラックバックデザインテーブル
２３          テンプレート記憶部
２４          アカウント管理部
２４１        アカウント追加部
２４２        アカウント削除部
２４３        アカウント編集部
２４４        アカウント認証部
２５          記事入稿管理部
２５１        記事追加部
２５２        記事削除部
２５３        記事修正部
２６          コメント管理部
２６１        コメント入稿部
２６２        コメント削除部
２６３        コメント修正部
２７          トラックバック管理部
２７１        トラックバック送信部
２７２        トラックバック受信部
２７３        トラックバックデザイン送信部
２７４        トラックバックデザイン取得部
２８          デザイン管理部
２８１        テンプレート登録部
２８２        テンプレート修正部
２９          ページ表示部
２９１        記事一覧表示部
２９２        記事表示部
２９３        コメント表示部
２９４        デザイン付トラックバック表示部
２９５        表示位置制御部
２９６        表示サイズ制御部
２９７        表示濃淡制御部
２０１        リダイレクタ
２０２        誘導数集計部
２０３        誘導数ＤＢ
３Ａ、３Ｂ    クライアント
【図１】
2008181242.tif 000003
【図２】
2008181242.tif 000004
【図３】
2008181242.tif 000005
【図４】
2008181242.tif 000006
【図５】
2008181242.tif 000007
【図６】
2008181242.tif 000008
【図７】
2008181242.tif 000009
【図８】
2008181242.tif 000010
【図９】
2008181242.tif 000011
【図１０】
2008181242.tif 000012
【図１１】
2008181242.tif 000013
【図１２】
2008181242.tif 000014
【図１３】
2008181242.tif 000015
【図１４】
2008181242.tif 000016
【図１５】
2008181242.tif 000017